(57)【要約】【課題】車両を運転する運転手の運転資格の有無を確認することを可能とする。【解決手段】車種情報格納部１１２は、認証機１１が設置されている車両の車種を示す車種情報を予め格納する。読取部１１１は、運転手に与えられている運転資格を示す運転資格情報を取得する。送受信部１１３は、車種情報格納部１１２に格納されている車種情報及び読取部１１１によって取得された運転資格情報を送信する。送受信部１２１は、送受信部１１３によって送信された車種情報及び運転資格情報を受信する。送受信部１２１は、受信された車種情報及び運転資格情報を送信する。中央システム１３は、送受信部１２１によって送信された車種情報及び運転資格情報を受信する。中央システム１３は、受信された車種情報及び運転資格情報を管理する。【選択図】図２
2009134550.tif 000002
【特許請求の範囲】
【請求項１】
運転手によって運転される車両に設置される認証機と、前記認証機と通信可能に接続された路側装置と、前記路側装置と通信可能に接続されている中央装置とを備える運転資格監査システムにおいて、
前記認証機は、
前記認証機が設置されている車両の車種を示す車種情報を予め格納する車種情報格納手段と、
前記運転手に与えられている運転資格を示す運転資格情報を取得する取得手段と、
前記車種情報格納手段に格納されている車種情報及び前記取得手段によって取得された運転資格情報を送信する第１の送信手段と
を含み、
前記路側装置は、
前記第１の送信手段によって送信された車種情報及び運転資格情報を受信する第１の受信手段と、
前記第１の受信手段によって受信された車種情報及び運転資格情報を送信する第２の送信手段と
を含み、
前記中央装置は、
前記第２の送信手段によって送信された車種情報及び運転資格情報を受信する第２の受信手段と、
前記第２の受信手段によって受信された車種情報及び運転資格情報を管理する管理手段と
を含むことを特徴とする運転資格監査システム。
【請求項２】
前記路側装置は、
車両の車種毎に、当該車種の車両を運転することができる運転資格を示す判定情報を予め格納する判定情報格納手段と、
前記第１の受信手段によって受信された運転資格情報によって示される運転資格が前記第１の受信手段によって受信された車種情報によって示される車種を運転することができる運転資格であるかを、前記判定情報格納手段に格納されている判定情報に基づいて判定する判定手段と
を更に含み、
前記認証機は、前記車種情報によって示される車種を運転することができないと判定された場合、前記運転手によって運転される車両の外部に対してその旨を通知する通知手段を更に含む
ことを特徴とする請求項１記載の運転資格監査システム。
【請求項３】
前記通知手段は、前記運転手によって運転される車両を制御する制御手段を含むことを特徴とする請求項２記載の運転資格監査システム。
【請求項４】
前記制御手段は、前記運転手によって運転される車両の速度を減速させることを特徴とする請求項３記載の運転資格監査システム。
【請求項５】
前記制御手段は、前記運転手によって運転される車両のライトを点灯させることを特徴とする請求項３記載の運転資格監査システム。
【請求項６】
前記認証機は、前記車種情報によって示される車種を運転することができないと判定された場合、前記運転手に対して警告する警告手段を更に含むことを特徴とする請求項２記載の運転資格監査システム。
【請求項７】
前記運転手に与えられている運転資格を示す運転資格情報は、ＩＣカードに記録されており、
前記第１の取得手段は、前記ＩＣカードから前記運転資格情報を読み取る読取手段を含む
ことを特徴とする請求項１記載の運転資格監査システム。
【請求項８】
前記ＩＣカードは、ＥＴＣカードとしての機能を有し、前記認証機は、ＥＴＣ車載器としての機能を有することを特徴とする請求項７記載の運転資格監査システム。
【請求項９】
前記路側装置は、前記判定情報格納手段に格納されている判定情報に変更があった場合に当該判定情報を更新する更新手段を更に含むことを特徴とする請求項２記載の運転資格監査システム。
【発明の詳細な説明】
【技術分野】
【０００１】
本発明は、車両を運転する運転手の運転資格を監査する運転資格監査システムに関する。
【背景技術】
【０００２】
一般的に、例えば自動車のような車両の運転には、運転する車種に応じた各種運転免許の取得が義務付けられている。また、運転免許を取得した場合であっても、例えば自動車を運転する際には、当該運転免許を取得したことを証明する運転免許証の携帯が義務付けられている。
【０００３】
しかしながら、多くの運転手がこの義務を果たす一方、一部には例えば無免許または免許証不携帯の運転手（以下、運転資格のない運転手と表記）が存在するのが現状である。
【０００４】
このような運転資格のない運転手を例えば外見から判断することは困難であり、例えば交通警察官による取り締まりでは、自動車の運転手を１人ずつ確認するという方法を取らざるを得ない。
【０００５】
そこで、例えば自動車そのものに運転手の運転資格を判定するシステムがあれば運転資格のない運転手に対して適切な措置を取ることが可能となり、交通事故の防止や交通の安全性において大いに役立つと考えられる。
【０００６】
例えば運転免許証に記録されている免許条件などに基づいて、運転手が車両を運転する条件を全て満たしているか否かを確認する車載器が開示されている（例えば、特許文献１を参照）。この車載器は、例えば運転手が運転する車両に設置されており、例えば運転手が運転する条件を全て満たさない場合には当該車両のエンジンを始動させないことにより、違法な車両の運転を防止することができる。
【特許文献１】特開２００５−９６６５７号公報
【発明の開示】
【発明が解決しようとする課題】
【０００７】
上記した車載器においては、例えば運転手に対して免許が与えられている（運転が認められている）車種と当該運転手が運転する車両（自動車）の車種が適合（一致）しているか否かにより、運転手が運転資格を有しているか否かが判定される。
【０００８】
この場合、例えば運転手に対して免許が与えられている車種の区分（以下、車種区分と表記）のような運転資格の判定基準が変更された場合、変更前の車種区分が設定されている車載器では適正な判定が実行されなくなる。このため、このような変更が生じた場合には、各自動車に設置されている車載器自体を例えば変更後の車種区分に適応した車載器に変える必要が生じる。
【０００９】
本発明の目的は、車両を運転する運転手の運転資格の有無を確認することが可能な運転資格監査システムを提供することにある。
【課題を解決するための手段】
【００１０】
本発明の１つの態様によれば、運転手によって運転される車両に設置される認証機と、前記認証機と通信可能に接続された路側装置と、前記路側装置と通信可能に接続されている中央装置とを備える運転資格監査システムにおいて、前記認証機は、前記認証機が設置されている車両の車種を示す車種情報を予め格納する車種情報格納手段と、前記運転手に与えられている運転資格を示す運転資格情報を取得する取得手段と、前記車種情報格納手段に格納されている車種情報及び前記取得手段によって取得された運転資格情報を送信する第１の送信手段とを含み、前記路側装置は、前記第１の送信手段によって送信された車種情報及び運転資格情報を受信する第１の受信手段と、前記第１の受信手段によって受信された車種情報及び運転資格情報を送信する第２の送信手段とを含み、前記中央装置は、前記第２の送信手段によって送信された車種情報及び運転資格情報を受信する第２の受信手段と、前記第２の受信手段によって受信された車種情報及び運転資格情報を管理する管理手段とを含むことを特徴とする運転資格監査システムが提供される。
【発明の効果】
【００１１】
本発明によれば、車両を運転する運転手の運転資格の有無を確認することを可能とする。
【発明を実施するための最良の形態】
【００１２】
以下、図面を参照して、本発明の実施形態について説明する。
【００１３】
図１は、本実施形態に係る運転資格監査システム（自動車運転資格監査システム）の構成を示すブロック図である。図１に示すように、運転資格監査システム１０は、認証機（車載器）１１、路側装置１２及び中央システム（装置）１３を含む。
【００１４】
認証機１１は、例えば運転手により運転される自動車のような車両（以下、単に自動車と表記）に設置されている。認証機１１には、例えばＩＣカード１００を挿入する挿入口が設けられている。認証機１１は、この挿入口にＩＣカード１００が挿入されることにより、当該ＩＣカード１００に記録されている種々の情報を読み取ることができる。
【００１５】
路側装置１２は、認証機１１と通信可能な状態にある。路側装置１２は、例えば自動車が頻繁に通過する場所（例えば、駐車場の出入り口等）に複数設置される。
【００１６】
中央装置１３は、路側装置１２と通信可能に接続されている。中央装置１３は、各種情報を管理する。
【００１７】
図２は、図１に示す認証機１１及び路側装置１２の主として機能構成を示すブロック図である。
【００１８】
認証機１１は、読取部１１１、車種情報格納部１１２、送受信部１１３及び制御部１１４を含む。
【００１９】
読取部１１１は、例えば認証機１１に設けられている挿入口に挿入されたＩＣカード１００に記録されている情報を読み取る（取得する）。このＩＣカード１００は、例えば自動車を運転する運転手に対して配布されるものである。ＩＣカード１００には、例えば運転手に与えられている運転資格を示す運転資格情報が記録されている。この運転資格情報は、例えば自動車においては、「大型免許」または「普通免許」等を示す。また、運転資格情報には、当該運転資格情報が記録されているＩＣカード１００を識別するＩＤ情報（以下、ＩＣＩＤと表記）及び当該ＩＣカード１００が配布された運転手に関する情報等が含まれる。この運転資格情報は、例えば運転資格情報取扱機関にてＩＣカード１００に記録される。
【００２０】
車種情報格納部１１２には、例えば認証機１１が設置される自動車の車種を示す車種情報が格納されている。この自動車の車種情報は、例えば「大型」または「普通」等を示す。
【００２１】
送受信部１１３は、読取部１１１によって読み取られた運転資格情報及び車種情報格納部１１２に格納されている車種情報を路側装置１２に対して送信する。また、送受信部１１３は、路側装置１２から送信される制御信号を受信する。
【００２２】
制御部１１４は、送受信部１１３によって受信された制御信号に基づいて、例えば認証機１１が設置されている自動車に対する制御を行う。
【００２３】
路側装置１２は、送受信部１２１、判定情報格納部１２２及び判定部１２３を含む。送受信部１２１は、認証機１１の送受信部１１３によって送信された運転資格情報及び車種情報を受信する。送受信部１２１は、受信された運転資格情報及び車種情報を中央システム１３に対して送信する。この送受信部１２１によって送信された運転資格情報及び車種情報は、中央システム１３において管理される。
【００２４】
判定情報格納部１２２には、例えば自動車の車種毎に、当該車種（の自動車）を運転することができる運転資格を示す判定情報が予め格納されている。具体的には、判定情報は、例えば車種が「大型」の場合には、運転資格としては「大型免許」を示す。
【００２５】
判定部１２３は、送受信部１２１によって受信された運転資格情報によって示される運転資格が、当該送受信部１２１によって受信された車種情報によって示される車種を運転することができる運転資格であるか否かを、判定情報格納部１２２に格納されている判定情報に基づいて判定する。これにより、判定部１２３は、例えば認証機１１が設置されている自動車を運転する運転手の運転資格の有無を判定する。
【００２６】
判定部１２３によって運転することができる運転資格でないと判定された場合、つまり、運転手に運転資格がないと判定された場合、送受信部１２１は、例えば当該運転手によって運転されている自動車を制御するための制御信号を送信する。この制御信号は、例えば自動車の速度を減速させる等の信号である。上記した認証機１１に含まれる制御部１１４は、この制御信号に基づいて自動車を制御する。
【００２７】
なお、運転手の運転資格を判定する基準が変更された場合には、当該変更に応じて判定情報格納部１２２に格納されている判定情報が変更（更新）される。
【００２８】
なお、上記した認証機１１、路側装置１２及びＩＣカード１００は、例えばＥＴＣ（Electronic Toll Collection）システムに適用可能である。つまり、認証機１１は、ＥＴＣ車載器としての機能を有し、ＩＣカード１００は、例えばＥＴＣカードの機能を有する。また、路側装置１２は、ＥＴＣシステムにおいて用いられる路側装置の機能を有する。これにより、例えば本実施形態に係る運転資格監査システム１０を利用する際に、そのままＥＴＣシステムを利用することが可能となる。なお、本実施形態は、ＥＴＣシステムに限られず、他のシステムに適用される構成であっても構わない。
【００２９】
次に、図３のフローチャートを参照して、本実施形態に係る運転資格監査システム１０の処理手順について説明する。ここで、例えば自動車に設置されている認証機１１に設けられている挿入口にＩＣカード１００が挿入されたものとする。このＩＣカード１００は、例えば運転手に対して配布されるものである。ＩＣカード１００には、当該運転手に与えられている運転資格を示す運転資格情報が例えば運転資格情報取扱機関にて予め記録されている。なお、この運転資格情報には、ＩＣカード１００を識別するＩＣＩＤ及び当該ＩＣカード１００が配布された運転手に関する情報（運転手個人情報）が含まれる。
【００３０】
以下、認証機１１が設置されている自動車を対象自動車、当該対象自動車を運転する運転手を対象運転手として説明する。
【００３１】
上記したように認証機１１に設けられている挿入口にＩＣカード１００が挿入されると、当該認証機１１に含まれる読取部１１１は、当該ＩＣカード１００に記録されている運転資格情報を読み取る（ステップＳ１）。
【００３２】
次に、送受信部１１３は、車種情報格納部１１２に格納されている車種情報を取得する（ステップＳ２）。この車種情報は、認証機１１が設置されている対象自動車の車種、例えば「大型」または「普通」等を示す。
【００３３】
ここで、認証機１１が設置されている対象自動車が、例えば路側装置１２付近、つまり路側装置１２と通信可能な場所（エリア）を通過する場合を想定する。
【００３４】
この場合、認証機１１に含まれる送受信部１１３は、読取部１１によってＩＣカード１００から読み取られた運転資格情報及び車種情報格納部１１２から取得された車種情報を、路側装置１２に対して送信する（ステップＳ３）。
【００３５】
路側装置１２に含まれる送受信部１２１は、認証機１１から送信された運転資格情報及び車種情報を受信する。送受信部１２１は、受信された運転資格情報及び車種情報を、中央システム１３に対して送信する（ステップＳ４）。
【００３６】
この路側装置１２から送信された運転資格情報及び車種情報は、中央システム１３によって受信される。このように、中央システム１３は、例えば複数の路側装置１２から運転資格情報及び車種情報を収集する。中央システム１３は、収集された対象自動車及び対象運転手に関する情報を管理する。中央システム１３においては、管理されている対象自動車及び対象運転手に関する情報により、当該対象運転手の運転資格の有無等を確認することが可能となる。
【００３７】
次に、路側装置に含まれる判定部１２３は、送受信部１２１によって受信された運転資格情報、車種情報及び判定情報格納部１２２に格納されている判定情報に基づいて、対象運転手の運転資格の有無を判定する（ステップＳ５）。この判定情報は、例えば自動車の車種毎に、当該車種（の自動車）を運転することができる運転資格を示す。判定部１２３は、送受信部１２１によって受信された運転資格情報によって示される運転資格が、当該送受信部１２１によって受信された車種情報によって示される車種を運転することができる運転資格であるか否かにより、運転資格の有無を判定する。
【００３８】
具体的には、例えば車種情報によって示される車種が「大型」であり、運転資格情報によって示される運転資格が「大型免許」であれば、運転資格があると判定される。一方、例えば車種情報によって示される車種が「大型」であり、運転資格情報によって示される運転資格が「普通免許」であれば、運転資格はないと判定される。
【００３９】
対象運転手に運転資格がないと判定された場合（ステップＳ６のＮＯ）、送受信部１２１は、対象自動車を制御するための制御信号を認証機１１に送信する（ステップＳ７）。この制御信号は、例えば対象自動車の速度を減速させる、または、当該対象自動車のライトを点灯させる等の制御を実行させるための信号である。
【００４０】
認証機１１に含まれる送受信部１１３は、路側装置１２から送信された制御信号を受信する。
【００４１】
制御部１１４は、送受信部１１３によって受信された制御信号に基づいて、対象自動車を制御する（ステップＳ８）。この場合、制御部１１４は、例えば対象自動車の速度を減速させる。また、制御部１１４は、対象自動車のライトを点灯させる。これにより、対象自動車を運転資格のない運転手が運転している旨を外部に通知する。なお、制御部１１４は、例えば音声（または表示）等により対象運転手自身に対して、運転資格を有していない旨を更に通知する構成であってもよい。
【００４２】
なお、ここでは、認証機１１に設けられている挿入口にＩＣカード１００が挿入されているものとして説明したが、例えば当該ＩＣカード１００が挿入口に挿入されていない場合には、認証機１１から路側装置１２に対して運転資格情報は送信されない。この場合には、対象運転手が運転資格を有していないものとして、上記したステップＳ７及びステップＳ８の処理が実行される。
【００４３】
一方、ステップＳ６において対象運転手に運転資格があると判定された場合には、対象自動車に対する制御等は実行されず、処理は終了される。
【００４４】
なお、自動車の車種の区分のような運転資格の判定基準が変更された場合には、例えば中央システム１３から路側装置１２に対してその旨が通知され、当該路側装置１２に含まれる判定情報格納部１２２に格納されている判定情報が適宜更新される。
【００４５】
上記したように本実施形態においては、路側装置１２によって受信された運転資格情報及び車種情報を中央システム１３において収集することによって、走行する自動車及び当該自動車を運転する運転手に関する情報を管理し、参照することが可能となる。これにより、例えば走行中の自動車の運転手の運転資格の有無等を確認することができる。
【００４６】
また、本実施形態においては、例えば自動車（車両）を運転する運転手が当該自動車を運転する資格（運転資格）を有していない場合には、例えば当該自動車の速度を減速する、または、当該自動車のライトを点灯する等、当該自動車に対して制御が実行される。このため、例えば自動車の運転手が運転資格を有していない場合には、そのことを当該自動車の外部から認識することができる。よって、このような自動車に対して、例えば交通事故の防止または交通の安全性において適切な措置を取ることが可能となる。
【００４７】
また、本実施形態においては、運転資格の有無を判定する判定情報は路側装置１２に用意されている。よって、例えば判定の基準が変更された場合には当該判定情報を更新することにより対応できるため、当該判定の基準が変更された場合であっても例えば認証機１１等は変更することなくそのまま利用できる。
【００４８】
なお、本実施形態においては、例えばＩＣカード１００がＥＴＣカードの機能を有するものとして説明したが、このＩＣカード１００は例えばＩＣカード化された運転免許証であっても構わない。この場合には、運転免許証（ＩＣカード１００）を携帯（つまり、認証機１１に挿入）していなければ上記したように自動車が制御されるので、例えば運転手の免許不携帯についても外部から認識することができる。
【００４９】
また、例えば運転免許証がＩＣカード化されている場合、ＩＣカード１００に予め記録されている運転資格情報には例えば運転手が有する運転免許証の更新期限を示す情報が含まれる。この場合には、認証機１１は、ＩＣカード１００に記録されている更新期限を示す情報に基づいて、運転免許証の更新期限が近づいていることを通知する機能を有する構成であっても構わない。
【００５０】
なお、本願発明は、上記実施形態そのままに限定されるものではなく、実施段階ではその要旨を逸脱しない範囲で構成要素を変形して具体化できる。また、上記実施形態に開示されている複数の構成要素の適宜な組合せにより種々の発明を形成できる。例えば、実施形態に示される全構成要素から幾つかの構成要素を削除してもよい。
【図面の簡単な説明】
【００５１】
【図１】本発明の実施形態に係る運転資格監査システムの構成を示すブロック図。
【図２】図１に示す認証機１１及び路側装置１２の主として機能構成を示すブロック図。
【図３】本実施形態に係る運転資格監査システム１０の処理手順を示すフローチャート。
【符号の説明】
【００５２】
１０…運転資格監査システム、１１…認証機、１２…路側装置、１３…中央システム（中央装置）、１００…ＩＣカード、１１１…読取部、１１２…車種情報格納部、１１３…送受信部、１１４…制御部、１２１…送受信部、１２２…判定情報格納部、１２３…判定部。
【図１】
2009134550.tif 000003
【図２】
2009134550.tif 000004
【図３】
2009134550.tif 000005